(57)【要約】【課題】商品サンプルの影がサンプル台に投影されることによる商品展示効果の低下を効果的に防止することのできる自動販売機の商品サンプル展示装置を提供する。【解決手段】照明装置１４を点灯すると、各ＬＥＤ１４ｂの光が下方の商品サンプル１３に向かって照射され、サンプル台１２上の各商品サンプル１３が照明される。その際、照明装置１４の光によって商品サンプル１３の影がサンプル台１２の傾斜板１２ｂに投影されるが、傾斜板１２ｂは透明または半透明に形成されているため、各ＬＥＤ１４ｂの光が傾斜板１２ｂを透過する。これにより、傾斜板１２ｂの表面には商品サンプル１３の影ができず、商品サンプル１３の影によって商品サンプル室１１の見栄えが悪くなることがない。【選択図】図５
2012014334.tif 000002
【特許請求の範囲】
【請求項１】
自動販売機の前面に設けられた商品サンプル室と、商品サンプル室内に設けられたサンプル台と、サンプル台に取り付けられた商品サンプルと、サンプル台の商品サンプルに光を照射する照明装置とを備えた自動販売機の商品サンプル展示装置において、
前記サンプル台を、照明装置の光によって商品サンプルの影が投影される部分の少なくとも一部が透明または半透明をなすように形成した
ことを特徴とする自動販売機の商品サンプル展示装置。
【請求項２】
自動販売機の前面に設けられた商品サンプル室と、商品サンプル室内に設けられたサンプル台と、サンプル台に取り付けられた商品サンプルと、サンプル台の商品サンプルに光を照射する照明装置とを備えた自動販売機の商品サンプル展示装置において、
前記サンプル台を、照明装置の光によって商品サンプルの影が投影される部分の少なくとも一部が開口部を有するように形成した
ことを特徴とする自動販売機の商品サンプル展示装置。
【請求項３】
自動販売機の前面に設けられた商品サンプル室と、商品サンプル室内に設けられたサンプル台と、サンプル台に取り付けられた商品サンプルと、サンプル台の商品サンプルに光を照射する照明装置とを備えた自動販売機の商品サンプル展示装置において、
前記サンプル台を、照明装置の光によって商品サンプルの影が投影される部分の少なくとも一部が黒色または濃厚色を有するように形成した
ことを特徴とする自動販売機の商品サンプル展示装置。
【請求項４】
自動販売機の前面に設けられた商品サンプル室と、商品サンプル室内に設けられたサンプル台と、サンプル台に取り付けられた商品サンプルと、サンプル台の商品サンプルに光を照射する照明装置とを備えた自動販売機の商品サンプル展示装置において、
前記サンプル台を、照明装置の光によって商品サンプルの影が投影される部分の少なくとも一部が鏡面を有するように形成した
ことを特徴とする自動販売機の商品サンプル展示装置。
【請求項５】
前記サンプル台を、商品サンプルが配置される面が前方に向かって下り傾斜をなすように形成した
ことを特徴とする請求項１、２、３または４記載の自動販売機の商品サンプル展示装置。
【請求項６】
前記照明装置の光源にＬＥＤを用いた
ことを特徴とする請求項１、２、３、４または５記載の自動販売機の商品サンプル展示装置。
【発明の詳細な説明】
【技術分野】
【０００１】
本発明は、例えば缶、ビンまたはペットボトル入りの商品を販売する自動販売機に用いられ、商品サンプルを展示する自動販売機の商品サンプル展示装置に関するものである。
【背景技術】
【０００２】
従来、この種の商品サンプル展示装置としては、自動販売機の前面に設けられた商品サンプル室と、商品サンプル室内に設けられた上下複数段のサンプル台と、各サンプル台に取り付けられた複数の商品サンプルと、各サンプル台の商品サンプルに光を照射する照明装置とを備えたものが知られている（例えば、特許文献１参照。）。
【０００３】
また、商品サンプルを照明する光源として、蛍光灯よりも長寿命で電力消費の少ないＬＥＤを用いるようにしたものも知られている（例えば、特許文献２参照。）。
【先行技術文献】
【特許文献】
【０００４】
【特許文献１】特開２００３−１８７３１０号公報
【特許文献２】特開２００９−２１１３９９号公報
【発明の概要】
【発明が解決しようとする課題】
【０００５】
前記商品サンプル展示装置では、図１２に示すように照明装置２０によって商品サンプル２１を照明することにより、商品サンプル２１の展示効果を高め、商品の販売促進を図るようにしている。しかしながら、従来の商品サンプル展示装置では、表面を白色に塗装されたサンプル台２２が用いられているため、図１３に示すように商品サンプル２１を照明する光によって商品サンプル２１の影Ａがサンプル台２２の各商品サンプル２１間に投影される。このため、これらの影Ａによって商品サンプル室内の見栄えが悪くなり、商品サンプルの展示効果を低下させることになる。特に、光源にＬＥＤを用いる場合には、蛍光灯のような線光源に比べ、点光源となるＬＥＤでは商品サンプルの影がサンプル台に鮮明に投影されやすく、商品サンプルの影による商品展示効果の低下が顕著であった。
【０００６】
本発明の目的とするところは、商品サンプルの影がサンプル台に投影されることによる商品展示効果の低下を効果的に防止することのできる自動販売機の商品サンプル展示装置を提供することにある。
【課題を解決するための手段】
【０００７】
本発明は前記目的を達成するために、自動販売機の前面に設けられた商品サンプル室と、商品サンプル室内に設けられたサンプル台と、サンプル台に取り付けられた商品サンプルと、サンプル台の商品サンプルに光を照射する照明装置とを備えた自動販売機の商品サンプル展示装置において、前記サンプル台を、照明装置の光によって商品サンプルの影が投影される部分の少なくとも一部が透明または半透明をなすように形成している。
【０００８】
これにより、照明装置を点灯すると、照明装置の光によって商品サンプルの影がサンプル台に投影されるが、サンプル台は、商品サンプルの影が投影される部分を透明または半透明に形成されているため、照明装置の光が透過する。これにより、サンプル台の表面には商品サンプルの影ができず、商品サンプルの影によって商品サンプル室の見栄えが悪くなることがない。
【０００９】
また、本発明は前記目的を達成するために、自動販売機の前面に設けられた商品サンプル室と、商品サンプル室内に設けられたサンプル台と、サンプル台に取り付けられた商品サンプルと、サンプル台の商品サンプルに光を照射する照明装置とを備えた自動販売機の商品サンプル展示装置において、前記サンプル台を、照明装置の光によって商品サンプルの影が投影される部分の少なくとも一部が開口部を有するように形成している。
【００１０】
これにより、照明装置を点灯すると、照明装置の光によって商品サンプルの影がサンプル台に投影されるが、サンプル台は、商品サンプルの影が投影される部分に開口部を有するため、照明装置の光が開口部を透過する。これにより、サンプル台の表面には商品サンプルの影ができず、商品サンプルの影によって商品サンプル室の見栄えが悪くなることがない。
【００１１】
また、本発明は前記目的を達成するために、自動販売機の前面に設けられた商品サンプル室と、商品サンプル室内に設けられたサンプル台と、サンプル台に取り付けられた商品サンプルと、サンプル台の商品サンプルに光を照射する照明装置とを備えた自動販売機の商品サンプル展示装置において、前記サンプル台を、照明装置の光によって商品サンプルの影が投影される部分の少なくとも一部が黒色または濃厚色を有するように形成している。
【００１２】
これにより、照明装置を点灯すると、照明装置の光によって商品サンプルの影がサンプル台に投影されるが、サンプル台は、商品サンプルの影が投影される部分を黒色または濃厚色に形成されているため、商品サンプルの影とそれ以外の部分との明暗の差が少なくなる。これにより、サンプル台の表面では商品サンプルの影が目立たず、商品サンプルの影によって商品サンプル室の見栄えが悪くなることがない。
【００１３】
また、本発明は前記目的を達成するために、自動販売機の前面に設けられた商品サンプル室と、商品サンプル室内に設けられたサンプル台と、サンプル台に取り付けられた商品サンプルと、サンプル台の商品サンプルに光を照射する照明装置とを備えた自動販売機の商品サンプル展示装置において、前記サンプル台を、照明装置の光によって商品サンプルの影が投影される部分の少なくとも一部が鏡面を有するように形成している。
【００１４】
これにより、照明装置を点灯すると、照明装置の光によって商品サンプルの影がサンプル台に投影されるが、サンプル台は、商品サンプルの影が投影される部分を鏡面によって形成されているため、サンプル台の表面には商品サンプルの影以外に商品サンプルの像やその他の物が映る。これにより、サンプル台の表面では商品サンプルの影が目立たず、商品サンプルの影によって商品サンプル室の見栄えが悪くなることがない。
【発明の効果】
【００１５】
本発明によれば、商品サンプルの影によって商品サンプル室の見栄えが悪くなることがないので、商品サンプルの展示効果を高めることができ、商品の販売促進に極めて有利である。
【図面の簡単な説明】
【００１６】
【図１】本発明の第１の実施形態に係る商品サンプル展示装置を備えた自動販売機の全体斜視図
【図２】商品サンプル展示装置の側面断面図
【図３】商品サンプル展示装置の要部斜視図
【図４】照明装置の斜視図
【図５】照明状態を示す商品サンプル展示装置の側面断面図
【図６】本発明の第２の実施形態を示す商品サンプル展示装置の側面断面図
【図７】商品サンプル展示装置の要部斜視図
【図８】照明状態を示す商品サンプル展示装置の側面断面図
【図９】照明状態を示す商品サンプル展示装置の要部正面図
【図１０】本発明の第３の実施形態を示す商品サンプル展示装置の要部斜視図
【図１１】本発明の第４の実施形態を示す商品サンプル展示装置の要部斜視図
【図１２】照明状態を示す従来の商品サンプル展示装置の側面断面図
【図１３】照明状態を示す従来の商品サンプル展示装置の要部正面図
【発明を実施するための形態】
【００１７】
図１乃至図５は本発明の第１の実施形態を示すものである。本実施形態の商品サンプル展示装置は、例えば缶、ビンまたはペットボトル入りの商品を販売する自動販売機に用いられるものである。
【００１８】
同図に示す自動販売機は、前面を開口した自動販売機本体１と、自動販売機本体１の前面を開閉する外扉２とを備えている。
【００１９】
自動販売機本体１は、内部に断熱性の商品収納庫（図示せず）を備え、商品収納庫内にはサーペンタイン式等の商品収納コラム（図示せず）が設けられている。
【００２０】
外扉２は、幅方向一端を自動販売機本体１に回動自在に支持され、その前面には複数の商品選択スイッチ３、紙幣投入口４、硬貨投入口５、硬貨返却口６、商品取出口７及び広告パネル８が設けられている。
【００２１】
本実施形態の商品サンプル展示装置１０は、外扉２の上部前面側に設けられた商品サンプル室１１と、商品サンプル室１１内に上下複数段に設けられた横長のサンプル台１２と、各サンプル台１２に取り付けられた複数の商品サンプル１３と、各サンプル台１２の商品サンプル１３に光を照射する照明装置１４とから構成されている。
【００２２】
商品サンプル室１１は、商品サンプル室３の前面を覆う透明板１１ａと、商品サンプル室１１の背面を覆う背面板１１ｂとを有し、透明板１１ａの外面には商品選択スイッチ３が取り付けられている。
【００２３】
サンプル台１２は、背面板１１ｂに固定されたサンプル台本体１２ａと、サンプル台本体１２ａの上面に配置された傾斜板１２ｂとからなり、傾斜板１２ｂには複数の商品サンプル１３が配置されている。サンプル台本体１２ａは折り曲げ加工された金属板からなり、その前端側には冷温表示板１２ｃを保持する保持部１２ｄが設けられている。冷温表示板１２ｃの表面と裏面には、それぞれコールド商品及びホット商品を表す文字及び色が表示されている。傾斜板１２ｂは光透過性を有する部材からなり、例えば透明または半透明のアクリル板によって形成されている。傾斜板１２ｂの下端側は取付板１２ｅによってサンプル台本体１２ａの上面に固定され、傾斜板１２ｂが前方に向かって下り傾斜をなすように保持されている。また、傾斜板１２ｂの上端側にはＬ字形の係止金具１２ｇが取り付けられ、係止金具１２ｇを背面板１１ｂに設けた孔１１ｃに係止することにより、傾斜板１２ｂの上端側が背面板１１ｂに固定されるようになっている。傾斜板１２ｂには商品サンプル１３が取り付けられる複数の取付孔１２ｆが設けられ、各取付孔１２ｆはサンプル台本体１２ａの幅方向に等間隔で配置されている。
【００２４】
商品サンプル１３は、飲料容器の形状をなすように円筒状に形成され、その表面には実物の商品と同様のデザイン（図示省略）が施されている。商品サンプル１３は、背面下部から下面後部に亘って開口しており、その下端にはサンプル台１２に取り付けるための取付部材１３ａが設けられている。取付部材１３ａは下端に設けた溝にサンプル台１２の取付孔１２ｆの開口縁を圧入することにより、サンプル台１２の傾斜板１２ｂに取り付けられる。
【００２５】
照明装置１４は、サンプル台本体１２ａ内に配置される照明ケース１４ａと、照明ケース１４ａ内に設けられた複数のＬＥＤ１４ｂとからなる。照明ケース１４ａは横長に形成された中空状の透明部材からなり、図示しないブラケットにより背面板１１ｂに取り付けられている。各ＬＥＤ１４ｂは、照明ケース１４ａの基板１４ｃに取り付けられ、互いに照明ケース１４ａの幅方向（長手方向）に間隔をおいて配置されている。この場合、各ＬＥＤ１４ｂは基板１４ｃの下面側に配置され、各ＬＥＤ１４ｂの光は照明ケース１４ａの下面を透過して下方に照射されるようになっている。
【００２６】
以上のように構成された商品サンプル展示装置１０においては、照明装置１４を点灯すると、各ＬＥＤ１４ｂの光が下方の商品サンプル１３に向かって照射され、サンプル台１２上の各商品サンプル１３が照明される。その際、照明装置１４の光によって商品サンプル１３の影がサンプル台１２の傾斜板１２ｂに投影されるが、傾斜板１２ｂは透明または半透明に形成されているため、図５に示すように各ＬＥＤ１４ｂの光が傾斜板１２ｂを透過する。これにより、傾斜板１２ｂの表面には商品サンプル１３の影ができず、商品サンプル１３の影によって商品サンプル室１１の見栄えが悪くなることがない。
【００２７】
このように、本実施形態によれば、サンプル台１１の傾斜板１２ｂを照明装置１４の光が透過するように透明または半透明に形成することにより、傾斜板１２ｂの表面に照明装置１４の光によって投影される商品サンプル１３の影ができないようにしたので、商品サンプル１３の影によって商品サンプル室１１の見栄えが悪くなることがなく、商品サンプル１３の展示効果を高めることができる。
【００２８】
また、サンプル台１１は、商品サンプル１３が配置される面を前方に向かって下り傾斜をなす傾斜板１２ｂによって形成されているので、傾斜板１２ｂの商品配置面に塵埃が溜まることがなく、塵埃によるサンプル台１１の汚れを効果的に防止することができる。
【００２９】
更に、照明装置１４の光源にＬＥＤを用いるようにしたので、蛍光灯よりも寿命を長く、且つ電力消費を少なくすることができる。この場合、点光源であるＬＥＤを用いても、前述のようにサンプル台１１に商品サンプル１３の影ができないので、ＬＥＤを用いる場合に極めて有利である。
【００３０】
図６乃至図９は本発明の第２の実施形態を示すもので、第１の実施形態と同等の構成部分には同一の符号を付して示す。本実施形態の商品サンプル展示装置１０は第１の実施形態とは異なるサンプル台１５を備え、他の構成は第１の実施形態と同等であるため図示を省略する。
【００３１】
本実施形態のサンプル台１５は、折り曲げ加工された金属板からなり、商品サンプル１３が配置される部分は前下りに傾斜した傾斜面１５ａによって形成されている。傾斜面１５ａには、商品サンプル１３が取り付けられる複数の取付孔１５ｂがサンプル台１５の幅方向に等間隔で設けられ、各取付孔１５ｂの間には傾斜面１５ａの上端側から下端側に亘る開口部１５ｃが設けられている。また、サンプル台１５の前端下部には、第１の実施形態と同様、冷温表示板１５ｄを保持する保持部１５ｅが設けられている。
【００３２】
本実施形態の商品サンプル展示装置１０では、照明装置１４を点灯すると、各ＬＥＤ１４ｂの光が下方の商品サンプル１３に向かって照射され、サンプル台１５上の各商品サンプル１３が照明される。その際、照明装置１４の光によって商品サンプル１３の影がサンプル台１５の傾斜面１５ａに投影されるが、傾斜面１５ａの商品サンプル１３の間には開口部１５ｃが設けられているため、図８及び図９に示すように各ＬＥＤ１４ｂの光が開口部１５ｃを透過する。これにより、傾斜面１５ａの表面には商品サンプル１３の影ができず、第１の実施形態と同様、商品サンプル１３の影によって商品サンプル室１１の見栄えが悪くなることがない。
【００３３】
このように、本実施形態によれば、サンプル台１１の傾斜面１５ａに照明装置１４の光を通過させる開口部１５ｃを設けることにより、傾斜板１５ｂの表面に照明装置１４の光によって投影される商品サンプル１３の影ができないようにしたので、商品サンプル１３の影によって商品サンプル室１１の見栄えが悪くなることがなく、商品サンプル１３の展示効果を高めることができる。
【００３４】
図１０は本発明の第３の実施形態を示すもので、第１の実施形態と同等の構成部分には同一の符号を付して示す。本実施形態の商品サンプル展示装置１０は第１の実施形態とは異なるサンプル台１６を備え、他の構成は第１の実施形態と同等であるため図示を省略する。
【００３５】
サンプル台１６は、第１の実施形態と同様、背面板１１ｂに固定されるサンプル台本体１６ａと、サンプル台本体１６ａの上面に配置された傾斜板１６ｂとからなり、サンプル台本体１６ａの前端側には冷温表示板１６ｃを保持する保持部１６ｄが設けられている。傾斜板１６ｂの下端側は取付板１６ｅによってサンプル台本体１６ａの上面に固定され、傾斜板１６ｂが前方に向かって下り傾斜をなすように保持されている。この場合、傾斜板１６ｂの表面は黒色または濃厚色（例えば濃い灰色）に着色されている。傾斜板１６ｂには商品サンプル１３が取り付けられる複数の取付孔１６ｆが設けられ、各取付孔１６ｆはサンプル台本体１６ａの幅方向に等間隔で配置されている。尚、傾斜板１６ｂの前面を着色する代わりに、傾斜板１６ｂを黒色または濃厚色の樹脂板によって形成するようにしてもよい。
【００３６】
本実施形態によれば、照明装置１４を点灯すると、各ＬＥＤ１４ｂの光が下方の商品サンプル１３に向かって照射され、サンプル台１６上の各商品サンプル１３が照明される。その際、照明装置１４の光によって商品サンプル１３の影がサンプル台１６の傾斜板１６ｂに投影されるが、傾斜板１６ｂの表面は黒色または濃厚色を有するため、商品サンプル１３の影とそれ以外の部分との明暗の差が少なくなる。これにより、傾斜板１６ｂの表面では商品サンプル１３の影が目立たず、商品サンプル１３の影によって商品サンプル室１１の見栄えが悪くなることがない。
【００３７】
このように、本実施形態によれば、サンプル台１１の傾斜板１６ｂを黒色または濃厚色に形成することにより、傾斜板１６ｂの表面に照明装置１４の光によって投影される商品サンプル１３の影が目立たなくなるようにしたので、商品サンプル１３の影によって商品サンプル室１１の見栄えが悪くなることがなく、商品サンプル１３の展示効果を高めることができる。
【００３８】
図１１は本発明の第４の実施形態を示すもので、第１の実施形態と同等の構成部分には同一の符号を付して示す。本実施形態の商品サンプル展示装置１０は第１の実施形態とは異なるサンプル台１７を備え、他の構成は第１の実施形態と同等であるため図示を省略する。
【００３９】
サンプル台１７は、第１の実施形態と同様、背面板１１ｂに固定されるサンプル台本体１７ａと、サンプル台本体１７ａの上面に配置された傾斜板１７ｂとからなり、サンプル台本体１７ａの前端側には冷温表示板１７ｃを保持する保持部１７ｄが設けられている。傾斜板１７ｂの下端側は取付板１７ｅによってサンプル台本体１７ａの上面に固定され、傾斜板１７ｂは前方に向かって下り傾斜をなすように保持されている。この場合、傾斜板１７ｂの表面は鏡面を有するように形成されている。傾斜板１７ｂには商品サンプル１３が取り付けられる複数の取付孔１７ｆが設けられ、各取付孔１７ｆはサンプル台本体１７ａの幅方向に等間隔で配置されている。
【００４０】
本実施形態によれば、照明装置１４を点灯すると、各ＬＥＤ１４ｂの光が下方の商品サンプル１３に向かって照射され、サンプル台１７上の各商品サンプル１３が照明される。その際、照明装置１４の光によって商品サンプル１３の影がサンプル台１７の傾斜板１７ｂに投影されるが、傾斜板１７ｂの表面は鏡面からなるため、傾斜板１７ｂの表面には商品サンプル１３の影以外に商品サンプル１３の像やその他の物が映る。この場合、傾斜板１７ｂの傾斜により、傾斜板１７ｂの反射光が商品サンプル１３に背面側からも照射され、商品サンプル１３の影が薄くなる。これにより、傾斜板１７ｂの表面では商品サンプル１３の影が目立たず、商品サンプル１３の影によって商品サンプル室１１の見栄えが悪くなることがない。特に、屋外に設置された自動販売機では、傾斜板１７ｂに自動販売機の周囲が映るようにすれば、夜間は傾斜板１７ｂに周囲の暗闇が映るため、第３の実施形態と同様、商品サンプル１３の影とそれ以外の部分との明暗の差が少なくなり、商品サンプル１３の影が目立たなくなる。
【００４１】
このように、本実施形態によれば、サンプル台１１の傾斜板１７ｂを鏡面によって形成することにより、傾斜板１７ｂの表面に照明装置１４の光によって投影される商品サンプル１３の影が目立たなくなるようにしたので、商品サンプル１３の影によって商品サンプル室１１の見栄えが悪くなることがなく、商品サンプル１３の展示効果を高めることができる。
【００４２】
尚、前記実施形態では、サンプル台１２，１５，１６，１７を商品サンプル配置面が前方に向かって下り傾斜をなすように形成したものを示したが、本発明は商品サンプル配置面を水平に形成したものにも適用することができる。例えば、サンプル台の後方に設けた垂直板の前面に、商品容器の前面側のみを形成した断面半円形の商品サンプルを取り付けることにより、水平な商品サンプル配置面に商品サンプルを展示することができる。
【符号の説明】
【００４３】
１…自動販売機本体、２…外扉、１０…商品サンプル展示装置、１１…商品サンプル室、１２…サンプル台、１２ｂ…傾斜板、１３…商品サンプル、１４…照明装置、１５…サンプル台、１５ａ…傾斜面、１６…サンプル台、１６ｂ…傾斜板、１７…サンプル台、１７ｂ…傾斜板。
【図１】
2012014334.tif 000003
【図２】
2012014334.tif 000004
【図３】
2012014334.tif 000005
【図４】
2012014334.tif 000006
【図５】
2012014334.tif 000007
【図６】
2012014334.tif 000008
【図７】
2012014334.tif 000009
【図８】
2012014334.tif 000010
【図９】
2012014334.tif 000011
【図１０】
2012014334.tif 000012
【図１１】
2012014334.tif 000013
【図１２】
2012014334.tif 000014
【図１３】
2012014334.tif 000015